Podtech/llm-jp-corpus-v4-ja_patent huggingface dataset:
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
意図されるメンバのウェブサイトに提示されるメンバシップ証明書を検証するコンピュータ実施方法において、
前記メンバシップ証明書をアクティブ化すること、
前記メンバシップ証明書を作成した組織に関連付けられた組織証明書を検索することであって、前記組織証明書が、特定の種類の組織のみに関連付けられて前記メンバシップを定義する所定の情報要素セットを含む、検索すること、
前記メンバシップ証明書に提示される前記要素を前記組織証明書と比較すること、及び
前記メンバシップ証明書に提示される前記要素が、前記組織証明書内の前記特定の種類の組織に関連付けられた前記所定の情報要素セットに一致する場合且つその場合に限り、前記メンバシップ証明書を証明すること、
を含むことを特徴とするコンピュータ実施方法。
【請求項２】
請求項１に記載のコンピュータ実施方法において、
前記組織証明書が、正規の証明機関（ＣＡ）により作成され、前記方法が、前記証明機関に関して前記組織証明書を認証するステップを含むことを特徴とするコンピュータ実施方法。
【請求項３】
請求項１に記載のコンピュータ実施方法において、
前記方法を実行するローカルコンピュータが、有効組織証明書のキャッシュを含むことを特徴とするコンピュータ実施方法。
【請求項４】
請求項１に記載のコンピュータ実施方法において、
前記方法を実行するローカルコンピュータが、ネットワークデータベースから現在有効な組織証明書のリストを取得することを特徴とするコンピュータ実施方法。
【請求項５】
請求項１に記載のコンピュータ実施方法において、
前記提示される要素と前記所定の要素リストとの比較は、必要情報の包含についてのチェックを含むことを特徴とするコンピュータ実施方法。
【請求項６】
請求項１に記載のコンピュータ実施方法において、
前記提示される要素と前記所定の要素リストとの比較は、複数のエントリが許可されていないものとして定義される要素の所定のリストについて、情報要素の存在が１つであることのチェックを含むことを特徴とするコンピュータ実施方法。
【請求項７】
請求項１に記載のコンピュータ実施方法において、
前記方法が、前記組織証明書が適宜署名され、期限切れしていないことを検証するステップを含むことを特徴とするコンピュータ実施方法。
【請求項８】
請求項１に記載のコンピュータ実施方法において、
前記方法が、前記メンバシップ証明書が期限切れしていないことを検証するステップを含むことを特徴とするコンピュータ実施方法。
【請求項９】
請求項１に記載のコンピュータ実施方法において、
前記組織証明書及び前記メンバシップ証明書は、結合証明書として提示され、前記組織証明書が最初に検証され、次に前記メンバシップ証明書が検証されることを特徴とするコンピュータ実施方法。
【請求項１０】
意図されるメンバのウェブサイトに提示されるメンバシップ証明書を検証するシステムにおいて、
前記メンバシップ証明書をアクティブ化するコンピュータ使用可能コード手段と、
前記メンバシップ証明書を作成した組織に関連付けられた組織証明書を検索するコンピュータ使用可能コード手段であって、前記組織証明書が、特定の種類の組織のみに関連付けられて前記メンバシップを定義する所定の情報要素セットを含む、検索するコンピュータ使用可能コード手段と、
前記メンバシップ証明書に提示される前記要素を前記組織証明書と比較するコンピュータ使用可能コード手段と、
前記メンバシップ証明書に提示される前記要素が、前記組織証明書内の前記特定の種類の組織に関連付けられた前記所定の情報要素セットに一致する場合且つその場合に限り、前記メンバシップ証明書を証明するコンピュータ使用可能コード手段と、
を含むことを特徴とするシステム。
【請求項１１】
請求項１０に記載のシステムにおいて、
前記組織証明書が、正規の証明機関（ＣＡ）により作成され、前記証明機関に関して前記組織証明書を認証するコンピュータ使用可能プログラムコード手段ことを特徴とするシステム。
【請求項１２】
請求項１０に記載のシステムにおいて、
前記コンピュータ使用可能プログラムコード手段が、有効組織証明書のローカルキャッシュを検索するステップを実行することを特徴とするシステム。
【請求項１３】
請求項１０に記載のシステムにおいて、
前記コンピュータ使用可能プログラムコード手段が、ネットワークデータベースから有効組織証明書を検索するステップを実行することを特徴とするシステム。
【請求項１４】
請求項１０に記載のシステムにおいて、
前記コンピュータ使用可能プログラムコードが、必要情報の包含について前記提示された要素をチェックするステップを実行することを特徴とするシステム。
【請求項１５】
請求項１０に記載のシステムにおいて、
前記コンピュータ使用可能プログラムコード手段が、複数のエントリが許可されていないものとして定義される要素の所定のリストについて、情報要素の存在が１つであることをチェックするステップを実行することを特徴とするシステム。
【請求項１６】
請求項１０に記載のシステムにおいて、
前記コンピュータ使用可能プログラムコード手段が、前記組織証明書が適宜署名され、期限切れしていないことを検証するステップを実行することを特徴とするシステム。
【請求項１７】
請求項１０に記載のシステムにおいて、
前記組織証明書及び前記メンバシップ証明書は、結合証明書として提示され、前記コンピュータ使用可能プログラムコード手段が、前記組織証明書部分の検証を最初に実行し、次に前記メンバシップ証明書部分の検証を実行することを特徴とするシステム。
【請求項１８】
請求項１０に記載のシステムにおいて、
前記コンピュータ使用可能プログラムコード手段が、前記メンバシップ証明書が期限切れしていないことを検証するステップを実行することを特徴とするシステム。
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
キャプチャーされた画像データをスプレッドシートと共に使用するための方法であって、
キャプチャー画像を受け取るステップであって、前記キャプチャー画像は文字を含んだ光学的に認識可能なデータを含んでいる、ステップと、
前記キャプチャー画像からデータを取得するステップであって、前記取得されたデータの少なくとも一部分は文字である、ステップと、
前記キャプチャー画像からの前記データが既存のスプレッドシートと関連付けられていると判定された場合に、前記キャプチャー画像からの前記データで前記既存のスプレッドシートを更新するステップであって、前記既存のスプレッドシートを更新するステップは、前記キャプチャー画像からの前記データを前記既存のスプレッドシートの少なくとも１つのセル内のデータと照合するステップと、前記キャプチャー画像からの前記データと前記既存のスプレッドシートの前記少なくとも１つのセル内の前記データが異なる場合、前記既存のスプレッドシートの前記少なくとも１つのセル内の前記データを前記キャプチャー画像からの前記データで置き換えるステップと、を含む、ステップと、
前記キャプチャー画像からの前記データが前記既存のスプレッドシートと関連付けられていないと判定された場合に、前記キャプチャー画像からの前記データを別のスプレッドシートと関連付けるステップであって、前記キャプチャー画像からの前記データを関連付けるステップは、前記キャプチャー画像からの前記データを前記別のスプレッドシートの少なくとも１つの空のセル内に配置するステップを含む、ステップと、
を含む、方法。
【請求項２】
前記データが前記スプレッドシートと関連付けられる時に前記データの書式を保持して、前記データが表示される時に前記キャプチャー画像に含まれている書式が示されるようにするステップを更に含む、請求項１に記載の方法。
【請求項３】
前記キャプチャー画像から前記データを取得する前記ステップは、前記キャプチャー画像内において数式が取得されるか否かを判定するステップと、前記数式を前記スプレッドシートに統合するステップとを含む、請求項１に記載の方法。
【請求項４】
前記データが前記既存のスプレッドシートと関連付けられていると判定された場合に、前記データで前記スプレッドシートを更新する前記ステップは、前記キャプチャー画像から取得されたデータと前記既存のスプレッドシートにおけるデータとの差分を求めるステップと、前記差分を反映するように前記スプレッドシートを更新するステップとを含む、請求項１に記載の方法。
【請求項５】
前記キャプチャー画像から取得された前記データを、前記キャプチャー画像の文章間の間隔に基づいて前記スプレッドシート内に配置するステップを更に含む、請求項１に記載の方法。
【請求項６】
キャプチャーされた画像データをスプレッドシートと共に使用するためのコンピューター実行可能命令を格納したコンピューター読み取り可能記憶デバイスであって、
キャプチャー画像を受け取るステップであって、前記キャプチャー画像は文字を含んだ光学的に認識可能なデータを含んでいる、ステップと、
前記キャプチャー画像からデータを取得するステップであって、前記取得されたデータの少なくとも一部分は文字である、ステップと、
前記キャプチャー画像に示されている前記データの書式を保持して、前記データが表示される時に前記キャプチャー画像に含まれている前記書式が示されるようにするステップと、
前記キャプチャー画像内において数式が取得されるか否かを判定するステップと、
前記数式が既存のスプレッドシートと関連付けられていると判定された場合に、前記数式で前記既存のスプレッドシートを更新するステップであって、前記既存のスプレッドシートを更新するステップは、前記数式を前記既存のスプレッドシートのセルに追加するステップを含む、ステップと、
前記数式が前記既存のスプレッドシートと関連付けられていないと判定された場合に、前記数式を別のスプレッドシートと関連付けるステップであって、前記数式を関連付けるステップは、前記数式を前記スプレッドシートのセル内に配置するステップを含む、ステップと、
を含む、コンピューター読み取り可能記憶デバイス。
【請求項７】
前記キャプチャー画像から取得されたデータからのグラフを前記キャプチャー画像の少なくとも一部分の表示と共に表示するステップを更に含む、請求項６に記載のコンピューター読み取り可能記憶デバイス。
【請求項８】
キャプチャーされた画像データをスプレッドシートと共に使用するためのシステムであって、
ネットワークに接続するように構成されたネットワーク接続と、
プロセッサー、メモリー、及びコンピューター読み取り可能記憶媒体と、
前記コンピューター読み取り可能記憶媒体上に格納され前記プロセッサー上で実行する動作環境と、
ディスプレイと、
スプレッドシートアプリケーションと、
セルを有したスプレッドシートと、
前記スプレッドシートアプリケーションと連携して動作する画像マネージャーと、を備え、
前記画像マネージャーは、
キャプチャー画像を受け取るステップであって、前記キャプチャー画像は文字を含んだ光学的に認識可能なデータを含んでいる、ステップと、
前記キャプチャー画像からデータを取得するステップであって、前記取得されたデータの少なくとも一部分は文字である、ステップと、
前記キャプチャー画像に示されている前記データの書式を保持して、前記データが表示される時に前記キャプチャー画像に含まれている前記書式が示されるようにするステップと、
前記キャプチャー画像内において数式が取得されるか否かを判定するステップと、
前記キャプチャー画像からの前記数式でスプレッドシートを更新するステップであって、前記スプレッドシートを更新するステップは、前記数式を前記スプレッドシートのセルに追加するステップを含む、ステップと、
前記キャプチャー画像から取得され前記スプレッドシートと関連付けられた前記データを用いて前記ディスプレイを更新するステップと、
を含む動作を実施するように構成されている、システム。
【請求項９】
前記キャプチャー画像から取得された前記データを用いて前記ディスプレイを更新するステップは、前記キャプチャー画像から取得されたデータからのグラフを前記キャプチャー画像の少なくとも一部分の表示と共に表示するステップを含む、請求項８に記載のシステム。
【請求項１０】
前記キャプチャー画像の一部分の選択を受け取るステップと、前記選択された一部分から前記データを取得するステップと、を更に含む、請求項８に記載のシステム。
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
少なくとも１つの温度制御商品が中に収容される温度制御室と、
前記温度制御室に結合される投入システムであって、商品を受容するようかつ許可された商品を識別する投入システムと、
前記投入システムに結合される拒絶ポートと、
を含むマーチャンダイザであって、
前記投入システムが、前記商品が前記挿入システムによって許可された商品として認識されない場合には前記商品を前記拒絶ポートに誘導する、マーチャンダイザ。
【請求項２】
前記投入システムが、
前記商品を受容する投入ポートと、
前記投入ポートの付近に設置される識別モジュールと、を含み、
前記識別モジュールは、前記少なくとも一つの温度制御商品に対応し前記投入ポート内に受容される許可された商品を識別する、請求項１に記載のマーチャンダイザ。
【請求項３】
前記温度制御室に結合される販売モジュールであって、前記投入システムによって識別された温度制御商品を吐出する販売モジュールをさらに含む、請求項１または請求２のいずれかに記載のマーチャンダイザ。
【請求項４】
前記投入システムは、前記投入システムによって識別された前記商品を前記温度制御室に誘導するようさらに構成される、請求項３に記載のマーチャンダイザ。
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
光検知用に構成され、端部を有する光ファイバと、
前記端部に結合され、長さ寸法を含み、前記光ファイバと屈折率が整合する先端部と、
を含み、
前記先端部は更に、前記長さ寸法内で光を吸収し散乱させるための吸収長さと、前記端部とは反対側に後方反射を低減する表面とを含む、反射低減デバイス。
【請求項２】
前記光ファイバ及び前記先端部は、フェルール接続界面を共有する、請求項１に記載のデバイス。
【請求項３】
前記先端部は、吸光ドーパント又は粒子を有する媒体を含む、請求項１に記載のデバイス。
【請求項４】
前記吸光ドーパント又は粒子は、プラズモン周波数において約２の比誘電率を有する金属を含む、請求項３に記載のデバイス。
【請求項５】
前記吸光ドーパント又は粒子は、所与の長さ寸法について最小反射減衰係数を与える、請求項３に記載のデバイス。
【請求項６】
前記先端部は、前記光ファイバの屈折率と整合する屈折率と、所与の長さ寸法について最小反射減衰係数とを有する材料を含む、請求項３に記載のデバイス。
【請求項７】
少なくとも１つの光ファイバを有する、形状検知が可能にされた医療デバイスと、
前記少なくとも１つの光ファイバから光信号を受け取り、前記医療デバイスの形状を求めるために前記光信号を解釈するコンソールと、
前記少なくとも１つの光ファイバの遠位端に結合された先端部と、
を含み、
前記先端部は、長さ寸法を含み、前記光ファイバと屈折率が整合し、
前記先端部は更に、前記長さ寸法内で光を吸収し散乱させるための吸収長さを含む、形状検知システム。
【請求項８】
前記先端部は、吸光ドーパント又は粒子を有する媒体を含む、請求項７に記載のシステム。
【請求項９】
前記吸光ドーパント又は粒子は、プラズモン周波数において約２の比誘電率を有する金属を含む、請求項８に記載のシステム。
【請求項１０】
前記吸光ドーパント又は粒子は、所与の長さ寸法について最小反射減衰係数を有する、請求項８に記載のシステム。
【請求項１１】
前記先端部は、前記光ファイバの屈折率と整合する屈折率と、所与の長さ寸法について最小反射減衰係数とを有する材料を含む、請求項８に記載のシステム。
【請求項１２】
光形状検知ファイバの端反射低減方法であって、
先端部を与えるステップと、
前記先端部を、光形状検知用の光ファイバの端部に接続するステップであって、前記先端部は、前記光ファイバと屈折率が整合する、ステップと、
後方反射を低減するために前記光ファイバ内を進行する光の吸収長さを与えるために前記後方反射をフィードバックとして使用して前記先端部の吸収特性を調節するステップと、
を含む、方法。
【請求項１３】
前記先端部は、吸光ドーパント又は粒子を有する媒体を含み、前記吸収特性を調節するステップは、前記吸光ドーパント又は粒子の濃度を調節するステップを含む、請求項１２に記載の方法。
【請求項１４】
前記吸光ドーパント又は粒子は、プラズモン周波数において約２の比誘電率を有する金属を含む、請求項１３に記載の方法。
【請求項１５】
前記先端部は、前記光ファイバの屈折率と整合する屈折率と、前記先端部の所与の長さ寸法について最小反射減衰係数とを有する材料を含む、請求項１３に記載の方法。
【手続補正書】
【提出日】平成27年3月11日(2015.3.11)
【手続補正１】
【補正対象書類名】明細書
【補正対象項目名】０００７
【補正方法】変更
【補正の内容】
【０００７】
２００８年８月２８日に公開されたＷＯ２００８／１０２１５９Ａ１（Ｑｕａｎｔｅｌ  Ｌｉｍｉｔｅｄ）は、そのようなバーチャルファイルシステムについて記載している。そこに記載されているファイルシステムは、クエリーを受けた場合に、いくつかの異なるバージョンファイルが利用可能であることを示す。しかし、それらの異なるバージョンファイルは、実際にはファイルシステム内に明示的に格納されておらず、その代わりに、それらのバージョンファイルのコンテンツは、要求された場合にのみ作成される。
【手続補正２】
【補正対象書類名】明細書
【補正対象項目名】００１０
【補正方法】変更
【補正の内容】
【００１０】
【特許文献１】ＷＯ２００８／１０２１５９Ａ１
【特許文献２】ＷＯ００／１４６３２Ａ１
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
上流液体ハンドリング構造（３１０）と、
下流液体ハンドリング構造（３２０）と、
前記上流液体ハンドリング構造を前記下流液体ハンドリング構造に接続し、駆動力に応答して前記上流液体ハンドリング構造から前記下流液体ハンドリング構造に液体が流れるようにする導管（３１４）と、を備え、
前記導管が、前記上流液体ハンドリング構造と前記下流液体ハンドリング構造の間に唯一の流体連通経路を提供するように、前記上流および下流液体ハンドリング構造が封止されるかまたは封止可能であり、
前記駆動力により、前記上流液体ハンドリング構造内の液体が前記導管を少なくとも部分的に満たし、前記下流液体ハンドリング構造内の気体から前記上流液体ハンドリング構造内の気体を分離するように構成され、
回転軸（３０４）の周りに回転して駆動力を提供するように当該デバイスが構成され、
前記上流液体ハンドリング構造は、出口ポート（３１２）と、該出口ポートの径方向外側に延びる部分と、を有する液体保持チャンバを備え、
前記導管は前記出口ポートから径方向外側に延びることを特徴とする、液体（３３０）をハンドリングするデバイス（３０２）。
【請求項２】
前記下流液体ハンドリング構造（３２０）は、前記上流液体ハンドリング構造（３１０）から液体を受け取るための液体受入領域に隣接して出口ポート（３２２）を有する液体受入チャンバを備えることを特徴とする請求項１に記載のデバイス（３０２）。
【請求項３】
前記液体保持チャンバは、半径方向の広がりよりも大きな円周方向の広がりを有することを特徴とする請求項１または２に記載のデバイス（３０２）。
【請求項４】
前記導管（３１４）は、前記液体保持チャンバの出口ポート（３１２）と、該液体保持チャンバが液体で満たされる液体保持チャンバの充填面と、の間の半径方向の距離よりも大きな半径方向の広がりを有することを特徴とする請求項１ないし３のいずれかに記載のデバイス（３０２）。
【請求項５】
前記導管（３１４）は、血液サンプルと接触するとき、その全断面にわたり血液サンプルで満たされるように構成されることを特徴とする請求項１ないし４のいずれかに記載のデバイス（３０２）。
【請求項６】
請求項１ないし５のいずれかに記載のデバイス（３０２）内の液体流れを制御するシステムであって、
前記駆動力の振幅を制御するコントローラを備え、
前記コントローラは、上限値と下限値の間で駆動力を変更して、前記導管（３１４）を通して前記下流液体ハンドリング構造（３２０）に液体（３３０）を繰り返し分配し、前記下流液体ハンドリング構造から前記上流液体ハンドリング構造（３１０）に気体を流すように構成される
ことを特徴とするシステム。
【請求項７】
前記コントローラは、駆動力を周期的に変更して、前記導管（３１４）を通して液体（３３０）を繰り返し分配するように構成されることを特徴とする請求項６に記載のシステム。
【請求項８】
前記コントローラは、駆動力を増加させて前記導管（３１４）を通して液体（３３０）を分配し、その後駆動力を減少させて前記上流および下流液体ハンドリング構造（３１０、３２０）内の気体圧力を釣り合わせることを繰り返すように構成されることを特徴とする請求項６または７に記載のシステム。
【請求項９】
前記コントローラの制御下で回転軸（３０４）の周りに前記デバイス（３０２）を回転させるモータを備えることを特徴とする請求項６ないし８のいずれかに記載のシステム。
【請求項１０】
前記コントローラは、液体を分配する前に、前記下限値を下回る駆動力を与えて、液体を画分に分離するように構成されており、液体が分配されるとき、液体の密度の高い方の画分が前記上流液体ハンドリング構造内に保持される
ことを特徴とする請求項６ないし９のいずれかに記載のシステム。
【請求項１１】
上流液体ハンドリング構造（３１０）と、該上流液体ハンドリング構造に接続された下流液体ハンドリング構造（３２０）と、を有するデバイス（３０２）内の液体の流れを制御する方法であって、
前記デバイスに駆動力を与えて該デバイス内にある体積の液体を配置し、前記下流液体ハンドリング構造内の気体体積から前記上流液体ハンドリング構造内の気体体積を分離し、
駆動力を増加させて前記上流液体ハンドリング構造から前記下流液体ハンドリング構造に液体（３３０）を流して、前記上流液体ハンドリング構造内の気体圧力を減少させるか、前記下流液体ハンドリング構造内の気体圧力を増加させるか、またはその両方を行い、
前記上流液体ハンドリング構造から前記下流液体ハンドリング構造に液体を分配した後に、
前記駆動力を減少させて前記下流液体ハンドリング構造から前記上流液体ハンドリング構造に気体を流し、前記上流液体ハンドリング構造と前記下流液体ハンドリング構造の間の気体圧力差を減じる
ことを含む方法。
【請求項１２】
駆動力の増減を繰り返して、前記上流液体ハンドリング構造（３１０）から前記下流液体ハンドリング構造（３２０）に液体体積を繰り返し分配することを含む、請求項１０に記載の方法。
【請求項１３】
前記液体は、それぞれ密度が異なる画分（３３０ａ、３３０ｂ）を有し、
駆動力を増加して前記上流液体ハンドリング構造（３１０）から前記下流液体ハンドリング構造（３２０）に液体を流す前に、駆動力の付与によって液体体積をそれぞれ密度の異なる画分に分離し、
その後、少なくとも一つの画分を前記上流液体ハンドリング構造内に保持する
ことを含む、請求項１０または１１に記載の方法。
【請求項１４】
請求項１または２に記載のデバイス（３０２）を使用する方法であって、
前記デバイスを回転させて、前記液体保持チャンバ内の液体の第１画分を、該液体保持チャンバの出口ポートから径方向外側に延びる部分に集積し、
その後、デバイスの回転数を増加して、前記液体保持チャンバから液体の第２画分を分配する一方、前記第１画分を前記部分内に保持する
ことを含む方法。
【請求項１５】
液体（３３０）が血液サンプルを含むことを特徴とする、請求項６ないし１０のいずれかに記載のシステム。
【請求項１６】
液体（３３０）が血液サンプルを含むことを特徴とする、請求項１３または１４に記載の方法。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
（ｉ）水素酸化反応を促進させる第１の触媒材料；及び
（ｉｉ）酸素発生反応を促進させる第２の触媒材料であって、イリジウム又は酸化イリジウムと、一又は複数の金属Ｍ又はその酸化物を含み、Ｍが遷移金属及びＳｎからなる群から選択される第２の触媒材料
を含む触媒層において、第１の触媒材料が第２の触媒材料に支持されていることを特徴とするプロトン交換膜燃料電池のためのアノード触媒層。
【請求項２】
全ての第１の触媒材料が第２の触媒材料に支持されている請求項１に記載の触媒層。
【請求項３】
Ｍが、ＩＶＢ、ＶＢ及びＶＩＢ族の金属及びＳｎからなる群から選択される請求項１又は２に記載の触媒層。
【請求項４】
Ｍが、Ｔｉ、Ｚｒ、Ｈｆ、Ｎｂ、Ｔａ及びＳｎからなる群から選択される請求項１又は２に記載の触媒層。
【請求項５】
第２の触媒材料が少なくとも１０ｍ２／ｇの表面積を有する請求項１から４のいずれか一項に記載の触媒層。
【請求項６】
第２の触媒材料が微粒子、エアロゲル、針状又は繊維状である請求項１から５のいずれか一項に記載の触媒層。
【請求項７】
第１の触媒材料が、
（ｉ）白金族金属（白金、パラジウム、ロジウム、ルテニウム、イリジウム又はオスミウム）、又は
（ｉｉ）金又は銀、又は
（ｉｉｉ）卑金属
又はその酸化物
から適切に選択される金属（一次金属）を含む請求項１から６のいずれか一項に記載の触媒層。
【請求項８】
ガス拡散層と請求項１から７のいずれか一項に記載の触媒層を含む電極。
【請求項９】
固体ポリマー膜と請求項１から７のいずれか一項に記載の触媒層を含む触媒化膜。
【請求項１０】
移動基材と請求項１から７のいずれか一項に記載の触媒層を含む触媒化移動基材。
【請求項１１】
請求項１から７のいずれか一項に記載の触媒層、請求項８に記載の電極、又は請求項９に記載の触媒化膜を含む膜電極アセンブリ。
【請求項１２】
請求項１から７のいずれか一項に記載の触媒層、請求項８に記載の電極、又は請求項９に記載の触媒化膜を含む燃料電池。
【請求項１３】
燃料電池がプロトン交換膜燃料電池である、請求項１２に記載の燃料電池。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
更なるセンサーベースの分析のため、被験体の呼気からサンプルをハンドヘルドで集めるための携帯用サンプリングデバイスであって、該デバイスは：
ハウジング（２０４、３０１、４０６）であって、該ハウジングは、少なくとも１つの入口（２０３、３０５、４０７）と、前記呼気が出ていくための少なくとも１つの出口（２０６、３０６、４０８）、及び、前記ハウジング内に配置されるサンプリング膜（２０５、３０２）を含むハウジング；
前記被験体が息を吹き込むためのマウスピース部分（３０８、４０１）を有している管状要素（２０２、３０３、４０２）、を含み；
ここで、前記サンプリング膜は、前記呼気からエアロゾルを収集するように設置され；前記マウスピースと前記ハウジングの前記入口との流体連通下にある選択的なトラップ部分を有する前記管状要素によって特徴付けられ、前記選択的なトラップ部分は、エアロゾルを通すための、且つより大きな粒子及び／又は凝集体及び／又は唾液が前記サンプリング膜によって集められるのを防ぐための、非直線状の気体流路を有する、
ことを特徴とする、携帯用サンプリングデバイス。
【請求項２】
前記管状要素は、前記ハウジングから取り外し可能であり、又は前記管状要素は、前記ハウジングの統合された部分であることを特徴とする、請求項１に記載のデバイス。
【請求項３】
前記呼気の予め定めた量が前記サンプリング膜を通ることを決定するための容量測定ユニットを更に含む、請求項１又は２に記載のデバイス。
【請求項４】
バッグなどの気体容量収集要素を備える容量測定ユニットを含み、ここで、
ポート（４０４）は前記マウスピースの下流に、及び前記サンプリング膜の上流に配置され、前記ポートは、前記容量測定ユニットに送られる呼気の定義された部分を抽出するために適用され；及び、前記気体容量収集要素の容量は、呼気の予め定義した容量に比例する
ことを特徴とする請求項１又は２に記載のデバイス。
【請求項５】
前記容量収集要素は、予め決定した大きさを備えた、弾性がないバッグである、ことを特徴とする請求項４に記載のデバイス。
【請求項６】
前記サンプリング膜はフィルター膜、好ましくは静電フィルター膜である、ことを特徴とする請求項１乃至５の何れかに記載のデバイス。
【請求項７】
前記フィルター膜は、２３ｇ／ｍ３乃至５００ｇ／ｍ３の範囲、好ましくは１５０乃至３００ｇ／ｍ３の範囲、及び更により好ましくは２００乃至２８０ｇ／ｍ３の範囲内の比重量を有する、不織布の濾過媒体の少なくとも１つの層を含む、ことを特徴とする請求項６に記載のデバイス。
【請求項８】
前記フィルター膜は、１０乃至２０ｇ／ｍ３のスクリム重量を備えた、スパンボンデッドの担体である、少なくとも１つの更なる層を含む、ことを特徴とする請求項７に記載のデバイス。
【請求項９】
前記フィルター膜は、およそ８００ｍｍ２の排気した気体と、９，５ｍ／ｍｉｎのメディア速度で３６Ｐａの圧力損失によって通される、フィルター表面を有する、ことを特徴とする請求項７に記載のデバイス。
【請求項１０】
前記フィルター膜は、アクリル繊維とポリプロピレン繊維の混合物から作られることを特徴とする、請求項６乃至９の何れかに記載のデバイス。
【請求項１１】
前記ハウジングは少なくとも２つの出口を有することを特徴とする、請求項１乃至１０の何れかに記載のデバイス。
【請求項１２】
前記管状要素は更に：
入口（４０１）、内腔に接続された出口（４０３）；
各々が内腔の少なくとも半径の長さの高さを有する少なくとも２つのバッフル（４０５）、を含み；
ここで、前記バッフルは、呼気が前記導管の前記内腔を通って直線経路を通らないようにするために、前記内腔の別々の側面に配置され、それにより、主に前記呼気中の前記エアロゾルが前記管状要素を通りぬけることを可能にする
ことを特徴とする請求項１乃至１１の何れかに記載のデバイス。
【請求項１３】
各バッフルは、前記エアロゾルが通りぬけることのみを可能にする大きさを備えた開口部を有する、ことを特徴とする請求項１２に記載のデバイス。
【請求項１４】
前記エアロゾルは、前記呼気中の少なくとも１つの薬物物質の不揮発性の化合物を含み；ここで、前記薬物物質は、アンフェタミン、エクスタシー、カンナビス、ＴＨＣ及びカンナビノイド、オピエイト、ヘロイン、モルヒネ、６−ＡＭ、コカイン、ベンゾジアゼピン、プロポキシフェン、メタドン、ブプレノルフィン、トラマドール、ＬＳＤ、合成麻薬／インターネット薬物、カチノン、ＧＨＢ、メプロバマット、Ｚ−薬物、トリプタミン、又はタンパク質同化ステロイドを含むリストの中に含まれることを特徴とする、請求項１乃至１３の何れかに記載のデバイス。
【請求項１５】
違法な薬物物質について被験体に非介入性の呼気検査を行うための、好ましくは血液又は尿をサンプリングすることにより前記薬物物質について前記被験体を検査するための代用としての、請求項１乃至１４の何れかに記載のデバイスの使用。
【請求項１６】
請求項１乃至１４に記載の携帯用サンプリングデバイスを製造するプロセスであって、該プロセスは：
プラスチックハウジングの第１の部分を加熱し、それにより前記第１の部分の周縁を拡大する工程；
前記第１の部分の、出口でも入口でもない開口部に近接して、サンプリング膜を設置する工程；
縁部にて前記サンプリング膜を融解するため、前記第１の部分から前記熱を利用する工程；
前記ハウジングに前記サンプリング膜を固定するため、融解した前記縁部を利用する工程；
前記第１の部分の内側で、前記第１の部分よりも低い温度を有する、前記ハウジングの第２の部分の断片を滑らせる工程であって、該工程により、冷却した際に前記第１の部分は縮小し、タイトフィットが前記第２の部分の前記断片の周囲で得られ、同時に、前記ハウジングは前記サンプリング膜を閉じ込める、工程
を含むことを特徴とする、プロセス。
【請求項１７】
前記呼気中の少なくとも１つの薬物化合物の存在を検知するための、及び／又はその定量的な量を測定するためのシステムであって、該システムは、請求項１乃至１４の何れかに記載のデバイスと、前記デバイスにより被験体の呼気から収集したサンプルを分析するためのセンサーユニットを含む、ことを特徴とするシステム。
【請求項１８】
薬物についてヒトをスクリーンする方法であって、該方法は、
請求項１乃至１４の何れかのデバイスを使用することにより、被験体の呼気からサンプルを集め、及び前記サンプルのセンサーベースの分析を行う工程を含み、前記方法は、
前記被験体がデバイスに息を吐き出す工程；
前記デバイスのサンプリング膜において前記呼気からエアロゾルを集める工程；
前記サンプリング膜から内容物を抜き取る工程；及び
前記内容物中の前記薬物の痕跡を検出するためにセンサーユニットを利用し、前記センサーユニットから得られる結果に基づき、前記薬物の存在を分析する工程
を含むことを特徴とする、方法。
【誤訳訂正書】
【提出日】平成26年12月25日(2014.12.25)
【誤訳訂正１】
【訂正対象書類名】明細書
【訂正対象項目名】０００２
【訂正方法】変更
【訂正の内容】
【０００２】
本開示の一態様によれば、衝撃検出のためのデバイスおよび技法が開示される。衝撃表示器は、筐体と、筐体内に位置する質量部材であって、筐体が加速イベントを受けたことに応答して、筐体内で質量部材を第１の位置から第２の位置へ移動することが可能となるように筐体が構成される、質量部材と、筐体内に配置され、質量部材を第１の位置へ付勢するように構成された第１および第２のばね部材とを含む。筐体が加速イベントを受けたことに応答して、質量部材が、第１のばね部材の付勢力に打ち勝ち、第１の位置から第２の位置へ移動するように構成され、第１および第２のばね部材はそれぞれ、質量部材の中央部分を横切って延びる。
【誤訳訂正２】
【訂正対象書類名】明細書
【訂正対象項目名】０００７
【訂正方法】変更
【訂正の内容】
【０００７】
本開示の実施形態は、衝撃検出および表示のためのデバイスおよび技法を提供する。一実施形態によれば、衝撃表示器は、筐体と、筐体内に位置する質量部材であって、筐体が、筐体が加速イベントを受けたことに応答して筐体内で質量部材を第１の位置から第２の位置へ移動させるように構成される、質量部材と、筐体内に配置され、質量部材を第１の位置へ付勢するように構成された第１および第２のばね部材とを含む。筐体が加速イベントを受けたことに応答して、質量部材は、第１のばね部材の付勢力に打ち勝ち、第１の位置から第２の位置へ移動するように構成され、第１および第２のばね部材はそれぞれ、質量部材の中央部分を横切って延びる。本開示の実施形態は、衝撃および／または加速イベントの検出を可能にしながら、所定のレベルまたは大きさの衝撃が発生した後は衝撃表示器１０の状態の再設定を防止または実質上防止する。たとえば、いくつかの実施形態では、表示器１０の質量部材３０は、加速イベントに応答して非活動位置から活動位置へ移動するように構成される。表示器１０が、表示器１０を非活動状態に再設定しようとして生じうる加速イベント（たとえば、質量部材３０を逆方向へ移動させるのに十分なレベルまたは大きさ）を受けた場合、質量部材３０は、ある活動位置から別の活動位置へ移動する。
【誤訳訂正３】
【訂正対象書類名】明細書
【訂正対象項目名】００１３
【訂正方法】変更
【訂正の内容】
【００１３】
板ばね５６の端部６８および８０は、座部６２および８０内に位置し、板ばね５８の端部７０および８２は、それぞれの座部６４および７６内に位置し、その結果、板ばね５６および５８は、互いに対向する凸状表面を有する。したがって、図示の実施形態では、板ばね５６および５８は、互いの方へ付勢されている。図１Ｂに示す実施形態では、板ばね５６および５８はそれぞれ、質量部材３０の弧状に形成された対向する壁８８と９０との間で、質量部材３０の中央部分を横切って横方向に延びる。板ばね５６および５８は、互いの方へ付勢され、質量部材３０を非活動位置５０で支持する（たとえば、板ばね５６および５８は、質量部材３０を非活動位置５０で保持するように、質量部材３０のそれぞれの壁８８および９０に接触して支持する）。質量部材３０は、別の方法で形成することもでき、かつ／またはばね部材４０および４２は、質量部材３０を非活動位置５０へ保持および／もしくは付勢するように、質量部材３０に対して別の方法で構成および／もしくは位置決めすることができることを理解されたい。
【誤訳訂正４】
【訂正対象書類名】特許請求の範囲
【訂正対象項目名】請求項１４
【訂正方法】変更
【訂正の内容】
【請求項１４】
前記ばね部材が、前記質量部材の中央部分を横切って延びる、請求項１１に記載の衝撃表示器。
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
ポリ(エチレングリコール）修飾されたhCG。
【請求項２】
式（Ｉａ）を有する請求項１記載のポリ(エチレングリコール）修飾されたhCG：
（Ｒ）n−Ｘ−Ｙ （Ｉａ）
式中：
Rがポリエチレングリコール（PEG）またはメトキシポリ(エチレングリコール）（mPEG）であり；
nが1、2、3、または4であり；
Xが結合またはリンカーであり；そして、
YがhCGまたはそのアゴニスト変異体である。
【請求項３】
nが1であってXが共有結合であるか、またはnが2もしくは4であってXがリンカーである、請求項１または２に記載されるポリ（エチレングリコール）修飾されたhCG。
【請求項４】
hCGが組換えhCGである、請求項１〜３のいずれかに記載されるポリ（エチレングリコール）修飾されたhCG。
【請求項５】
hCGがヒト細胞株由来の組換えhCGである、請求項１〜４のいずれかに記載されるポリ（エチレングリコール）修飾されたhCG。
【請求項６】
hCGがα2,3-およびα2,6-シアリル化を含有する組換えhCG（rhCG）である、請求項１〜５のいずれかに記載されるポリ（エチレングリコール）修飾されたhCG。
【請求項７】
hCGが、15mol/molまたはそれ以上のシアル酸含量（タンパク質のモル数に対するシアル酸のモル数の比で表される）を有する組換えhCGである、例えば15mol/molから25mol/molのシアル酸含量を有する組換えhCGである、請求項１〜６のいずれかに記載されるポリ（エチレングリコール）修飾されたhCG。
【請求項８】
hCGが、総シアリル化の10％もしくはそれ以上がα2,3-シアリル化であり、および／または総シアリル化の50％もしくはそれ未満がα2,6-シアリル化である組換えhCGである、請求項１〜７のいずれかに記載されるポリ（エチレングリコール）修飾されたhCG。
【請求項９】
hCGが、総シアリル化の45％から80％がα2,3-シアリル化である組換えhCGである、請求項１〜８のいずれかに記載されるポリ（エチレングリコール）修飾されたhCG。
【請求項１０】
hCGが、総シアリル化の20％から55％がα2,6-シアリル化である組換えhCGである、請求項１〜９のいずれかに記載されるポリ（エチレングリコール）修飾されたhCG。
【請求項１１】
式（I）の修飾されたhCGを含む組成物：
（Ｒ）n−Ｘ−Ｙ （Ｉ）
式中：
Rが水溶性で実質的に非抗原性のポリマーであり；
nが1、2、3、または4であり；
Xが結合またはリンカーであり；および、
YがhCGまたはそのアゴニスト変異体である。
【請求項１２】
nが1であってXが共有結合であるか、またはnが2もしくは4であってXがリンカーである、請求項１１記載の組成物。
【請求項１３】
RまたはRの少なくとも１つが直鎖ポリマー、例えばポリ（アルキレンオキシド）である、請求項１１または１２記載の組成物。
【請求項１４】
RまたはRの少なくとも1つがポリエチレングリコール（PEG）またはメトキシポリ（エチレングリコール）（mPEG）である、請求項１１〜１３のいずれかに記載される組成物。
【請求項１５】
RまたはRの少なくとも1つが、分子量約200から約40,000のポリ（アルキレンオキシド）である、例えばポリ（アルキレンオキシド）の分子量が200から約20,000である、例えばポリ（アルキレンオキシド）の分子量が2,000から約10,000である、例えばポリ（アルキレンオキシド）の分子量が約5,000である、請求項１１〜１４のいずれかに記載される組成物。
【請求項１６】
請求項１〜１０のいずれかに記載されるポリ（エチレングリコール）修飾されたhCGまたは請求項１１〜１５のいずれかに記載される組成物を含む医薬製剤。
【請求項１７】
hCGのアミノ酸残基にポリ（エチレングリコール）またはメトキシポリ（エチレングリコール）（mPEG）または水溶性で実質的に非抗原性であるポリマーがコンジュゲートしている、請求項１〜１０のいずれかに記載されるポリ（エチレングリコール）修飾されたhCG、請求項１１〜１５のいずれかに記載される組成物または請求項１６記載の医薬製剤。
【請求項１８】
hCGのN-アミノ末端またはC-アミノ末端にポリ（エチレングリコール）、メトキシポリ（エチレングリコール）（mPEG）または水溶性で実質的に非抗原性であるポリマーがコンジュゲートしている、請求項１〜１０のいずれかに記載されるポリ（エチレングリコール）修飾されたhCG、請求項１１〜１５のいずれかに記載される組成物または請求項１６記載の医薬製剤。
【請求項１９】
ポリ（エチレングリコール）またはメトキシポリ（エチレングリコール）（mPEG）または水溶性で実質的に非抗原性であるポリマーの90％またはそれ以上がhCGのN-アミノ末端にコンジュゲートしている、請求項１〜１０のいずれかに記載されるポリ（エチレングリコール）修飾されたhCG、請求項１１〜１５のいずれかに記載される組成物または請求項１６記載の医薬製剤。
【請求項２０】
請求項１〜１０もしくは１６〜１９のいずれかに記載されるポリ（エチレングリコール）修飾されたhCG、請求項１１〜１５もしくは１６〜１９のいずれかに記載される組成物または請求項１６〜１９のいずれかに記載される医薬製剤を含み、FSHおよび／またはLHを更に含んでいてもよい、医薬組成物。
【請求項２１】
不妊症治療用である、請求項２０に記載の医薬組成物。
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
下記式(I)の化合物、又はその医薬として許容し得る塩であって、
【化１】
2014510746.tif 000001
その任意の互変異性体；又は、トランスとして示されているC26、27のC=C結合がシスであるその異性体を含み；かつ、C-53ケト（存在する場合）及びC-15ヒドロキシル基とメタノールの組み合わせによりケタールが形成されているそのメタノール付加物を含む、前記化合物、又はそれらの医薬として許容し得る塩。
【請求項２】
固体結晶形である、請求項1記載の化合物。
【請求項３】
形態I結晶性多形体の形態にある、請求項２記載の化合物。
【請求項４】
医薬として使用するための、請求項１〜３のいずれか1項記載の化合物。
【請求項５】
HCV若しくはHIV感染などのウイルス感染症を治療するための医薬として、又は免疫抑制剤若しくは抗炎症剤として使用するための、請求項1〜３のいずれか1項記載の化合物。
【請求項６】
請求項１〜３のいずれか1項記載の化合物を含む、医薬組成物。
【請求項７】
請求項１〜３のいずれか1項記載の化合物を含み、さらに第2の又は二次の有効成分を含む、医薬組成物。
【請求項８】
HCV若しくはHIV感染などのウイルス感染症の治療のための、又は免疫抑制剤若しくは抗炎症剤として使用するための医薬組成物であって、請求項１〜３のいずれか1項記載の化合物を含む、前記医薬組成物。
【請求項９】
請求項１記載の化合物を製造する方法であって、式(V)の化合物：
【化２】
2014510746.tif 000002
（式中、各R11は、独立に、C1-4アルキル又はベンジルである。）
を、アルデヒド性マクロ環(式VIの化合物):
【化３】
2014510746.tif 000003
と反応させる工程を含む、前記方法。
【請求項１０】
式(VI)の化合物:
【化４】
2014510746.tif 000004
。
【請求項１１】
請求項３記載の形態I結晶性多形体の形態の式(I)の化合物を製造する方法であって、式(I)の化合物をメチルイソブチルケトンから結晶化させる工程を含む、前記方法。
【手続補正２】
【補正対象書類名】明細書
【補正対象項目名】００２７
【補正方法】変更
【補正の内容】
【００２７】
したがって、特にHCV感染の治療に効用を持ち得るが、HIV感染、筋ジストロフィー、若しくは心筋梗塞後の回復の促進などの、シクロフィリンの阻害が有用になり得る他の疾病分野、又は、免疫抑制若しくは抗炎症効果が有用である他の疾病分野の治療においても効用を持ち得る、新規のシクロフィリン阻害剤を特定する必要が未だ存在する。好ましくは、そのようなシクロフィリン阻害剤は、下記の性質の1つ以上を含む、現在利用可能なシクロフィリン阻害剤よりも向上した性質を有する：おそらくはP450代謝の低減及び/又はグルクロン酸抱合の低減による、より長い半減期若しくは増大した経口バイオアベイラビリティ、向上した水への溶解度、HCVに対する向上した効力、低減された毒性(肝毒性を含む)、標的臓器(例えば、HCVの場合は肝臓)に対する高い曝露及び/若しくは長い半減期(投薬頻度の減少を可能にする)などの向上した薬理プロファイル、低減されたレベルのCYP3A4の代謝及び阻害並びに低減された(Pgp)阻害（より容易な多剤組み合わせを可能にする）によるなどの低減された薬物-薬物相互作用、高ビリルビン血症の機会低下をもたらす、MRP2への低い結合などの向上した副作用プロファイル、より低い免疫抑制効果、耐性ウイルス種、特にCsA及びCsAアナログ(例えば、DEBIO-025)耐性ウイルス種に対する向上した活性、及びより高い治療（及び/又は選択性）指数。本発明は、上記の性質の１つ以上を有し得る新規のサングリフェリンアナログを開示する。特に、本発明は、新規の変異合成（mutasynthetic）サングリフェリンアナログを開示し、該サングリフェリンアナログは、例えば、増大したミクロソーム半減期により示されるとおりP450による代謝又はグルクロン酸抱合が低減されており、かつ／又は、例えば、低いレプリコンEC50により示されるとおりHCVに対する向上した効力を有すると予測される。
【手続補正３】
【補正対象書類名】明細書
【補正対象項目名】０１７０
【補正方法】変更
【補正の内容】
【０１７０】
（実施例7-化合物24の製造）
【化２３】
2014510746.tif 000005
21(42 mg、0.168 mmol)のTHF(2.0 mL)溶液に、0℃の無水THF(0.2 mL)中のNaH (1.2 mg、0.05 mmol)を撹拌しながら加えた。次いで、該溶液を、透明になるまで20℃で撹拌した。次いで、23-3(30 mg、0.042 mmol)を、該透明溶液に加え、該混合物を20℃で2時間撹拌した。該混合物を水(10 mL)でクエンチし、酢酸エチルで抽出した(3×20 mL)。有機層をブラインで洗浄し、Na2SO4で乾燥させ、濾過し、真空中で濃縮させた。残渣を分取HPLCにより精製すると、24を非晶質白色固体として得た。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
治療を必要とする対象において皮膚疾患の症状を改善する方法であって、
前記皮膚疾患が、ヘルペスウイルス感染症、水痘ウイルス感染、発疹、虫刺され、クラゲ刺され、熱傷もしくは放射線熱傷、乾癬、皮膚のアレルギー反応、および薬物または治療の副作用あるいは合併症の結果としての皮膚病変、から成る群から選択され、
前記症状が、皮膚の発赤、腫れ、かゆみ、刺すような感覚、灼熱感、発疹、浮腫、病変、水疱、および乾癬による剥離、から成る群から選択され、
前記皮膚疾患の症状を改善するのに有効な量の、ｐＧＬＵ−ＡＳＮ−ＴＲＰ−ＬＹＳ−Ｃ８、ｐＧＬＵ−ＡＳＮ−ＴＲＰ−ＴＨＲおよびｐＧＬＵ−ＡＳＮ−ＴＲＰから成る群から選択されるペプチドを、前記症状の発症後に、前記皮膚疾患の部位へ局所的に投与することを含み、
痛みの治療それ自体は除外される、
方法。
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
治療部位で増殖因子を多相放出するための組成物であって、
少なくとも１つの第１の増殖因子を含む送達媒体、および、
少なくとも１つの第２の増殖因子を含む担体を含み、
上記送達媒体は、重合体を含んでおり、上記少なくとも１つの第１の増殖因子を第１の期間に初期放出特性をもって放出するように構成され、
上記担体は、複数の粒子を含んでおり、上記少なくとも１つの第２の増殖因子を第２の期間に持続放出特性をもって放出するように構成される組成物。
【請求項２】
上記重合体はポロキサマー４０７である請求項１に記載の組成物。
【請求項３】
上記担体は複数のリン酸カルシウム粒子を含む請求項１に記載の組成物。
【請求項４】
上記第１の期間は数時間または数日を含み、上記第２の期間は数日または数週間を含む請求項１に記載の組成物。
【請求項５】
上記少なくとも１つの第１の増殖因子と上記少なくとも１つの第２の増殖因子は同一であるかまたは異なり、上記少なくとも１つの第１または第２の増殖因子は、形質転換増殖因子ベータのスーパーファミリー、インスリン様増殖因子（ＩＧＦ）、繊維芽細胞増殖因子（ＦＧＦ）、血小板由来増殖因子（ＰＤＧＦ）、および血管内皮増殖因子（ＶＥＧＦ）から選択される請求項１に記載の組成物。
【請求項６】
上記少なくとも１つの第２の増殖因子はＢＭＰ−２またはＢＭＰ−７である請求項１に記載の組成物。
【請求項７】
上記送達媒体は、上記少なくとも１つの第１の増殖因子の総量の少なくとも１０％を送達し、上記担体は、上記少なくとも１つの第２の増殖因子の総量の少なくとも５０％を送達する請求項１に記載の組成物。
【請求項８】
増殖因子の多相送達用のキットであって、
送達媒体の要素、
上記送達媒体と関連付けられ、上記送達媒体によって送達されるように構成された少なくとも１つの第１の増殖因子、
担体の要素、および、
上記担体に関連付けられ、上記担体によって送達されるように構成された少なくとも１つの第２の増殖因子を含み、
上記送達媒体は重合体を含み、上記少なくとも１つの第１の増殖因子を第１の期間に初期放出特性をもって放出するように構成され、
上記担体は複数の粒子を含み、上記少なくとも１つの第２の増殖因子を第２の期間に持続放出特性をもって放出するように構成されたキット。
【請求項９】
上記担体は複数のリン酸カルシウム粒子を含む請求項８に記載のキット。
【請求項１０】
上記少なくとも１つの第２の増殖因子はＢＭＰ−２またはＢＭＰ−７である請求項８に記載のキット。
【請求項１１】
上記少なくとも１つの第１の増殖因子は、キットに備えられる増殖因子の総量の少なくとも１０％を含み、
上記少なくとも１つの第２の増殖因子は、キットに備えられる増殖因子の総量の少なくとも５０％を含む請求項８の何れか１項に記載のキット。
【請求項１２】
上記複数の粒子は、高分子マトリクス内に分散されている請求項１に記載の組成物。
【請求項１３】
上記高分子マトリクスは、ポリ乳酸（ＰＬＡ）または乳酸−グリコール酸の共重合体（ＰＬＧＡ）を含む請求項１２に記載の組成物。
【請求項１４】
上記担体の上記少なくとも１つの第２の増殖因子は、上記粒子の表面に備えられる、または上記粒子内に混合される請求項１に記載の組成物。
【請求項１５】
上記第１の期間は数時間または数日を含み、上記第２の期間は数日または数週間を含む請求項８に記載のキット。
【請求項１６】
上記複数の粒子は、高分子マトリクス内に分散されている請求項８に記載のキット。
【請求項１７】
上記担体の上記少なくとも１つの第２の増殖因子は、上記粒子の表面に備えられる、または上記粒子内に混合される請求項８に記載のキット。
【請求項１８】
上記少なくとも１つの第１の増殖因子と上記少なくとも１つの第２の増殖因子は同一であるかまたは異なり、上記少なくとも１つの第１または第２の増殖因子は、形質転換増殖因子ベータのスーパーファミリー、インスリン様増殖因子（ＩＧＦ）、繊維芽細胞増殖因子（ＦＧＦ）、血小板由来増殖因子（ＰＤＧＦ）、および血管内皮増殖因子（ＶＥＧＦ）から選択される請求項８に記載のキット。
【請求項１９】
上記少なくとも１つの第２の増殖因子はＢＭＰ−２またはＢＭＰ−７である請求項８に記載のキット。